(57)【要約】【課題】食器洗い機の食器かごに配置収納する食器の形状、寸法の制約を少なくし、食器や調理器具をより多く配置収納して洗浄することができる食器洗い機を実現する。【解決手段】洗浄槽と、前記洗浄槽内に配置し食器類を収容する食器かごと、食器類を洗浄する洗浄手段とを備え、前記食器かごに設けられ、複数の支持ピンを有する一対の支持部は、回動軸部のまわりにそれぞれ回動させることにより、食器類を保持する第１の載置部と第２の載置部とを選択的に形成可能に構成するとともに、前記複数の支持ピンのうち少なくとも一対の相対する支持ピンは、前記第１の載置部を形成する状態において、上端部を外方へ張り出すように屈曲させた。【選択図】図１
2006006765.tif 000002
【特許請求の範囲】
【請求項１】
洗浄槽と、前記洗浄槽内に配置し食器類を収容する食器かごと、食器類を洗浄する洗浄手段とを備え、前記食器かごに設けられ、複数の支持ピンを有する一対の支持部は、回動軸部のまわりにそれぞれ回動させることにより、食器類を保持する第１の載置部と第２の載置部とを選択的に形成可能に構成するとともに、前記複数の支持ピンのうち少なくとも一対の相対する支持ピンは、前記第１の載置部を形成する状態において、上端部を外方へ張り出すように屈曲させた食器洗い機。
【請求項２】
一対の支持部の複数の支持ピンのうち少なくとも一対の相対する支持ピンは、前記一対の支持部で第２の載置部を形成する状態において、上端部が上方に向けて立設するよう構成した請求項１記載の食器洗い機。
【請求項３】
一対の支持部の複数の支持ピンのうち少なくとも一対の相対する支持ピンは、直線形状とした請求項１または２記載の食器洗い機。
【請求項４】
一対の支持部の複数対の支持ピンは、前記一対の支持部で第１の載置部を形成する状態において、上端部を屈曲させた支持ピンと直線形状とした支持ピンとを混在させて構成した請求項３記載の食器洗い機。
【請求項５】
一対の支持部の複数対の支持ピンは、前記一対の支持部で第１の載置部を形成する状態において、上端部を屈折させた支持ピンと直線形状とした支持ピンとを交互に配設して構成した請求項３記載の食器洗い機。
【請求項６】
回転軸部の軸方向は、洗浄槽の左右方向とした請求項１〜５のいずれか１項記載の食器洗い機。
【請求項７】
食器かごは、載置部を前記洗浄槽の前後方向に複数配設した請求項１〜６のいずれか１項記載の食器洗い機。
【請求項８】
複数の載置部のうち、最も後側に位置する載置部をその載置部の前方に隣接して位置する載置部より大きく構成した請求項７記載の食器洗い機。
【請求項９】
洗浄槽に残滓フィルターを配設し、食器かごは、複数の載置部のうち少なくとも一つを前記残滓フィルターの上方近傍に配設するよう構成した請求項７または８記載の食器洗い機。
【請求項１０】
載置部を構成する一対の支持部のうち少なくとも一方を回動軸部とは別の回動支軸まわりに回動可能に構成した請求項１〜９のいずれか１項記載の食器洗い機。
【発明の詳細な説明】
【技術分野】
【０００１】
本発明は洗浄ノズルより食器に向けて洗浄水を噴射して食器を洗浄する食器洗い機に関するものである。
【背景技術】
【０００２】
従来、この種の食器洗い機は図８及び図９に示すように構成していた。以下、その構成について説明する。
【０００３】
図８に示すように、洗浄槽１は、内部に洗浄水を噴射する洗浄ノズル２を回転自在に設けるとともに、食器３を収容する食器かご４を配置している。洗浄槽１内の洗浄水はヒータ５によって温水化され、洗浄ポンプ６にて残滓フィルター７を通して排水口８から吸い込まれ、洗浄ノズル２に圧送される。洗浄ノズル２より勢いよく噴射される洗浄水によって、食器かご４に配置収容された食器３を洗浄するように構成している。食器かご４は図９に示すように、条体４ｅに複数の支持ピン４ａを立設して構成された載置部４１に食器３を配置して保持するように構成されている（例えば、特許文献１参照）。
【特許文献１】特開２００１−６１７５６号公報
【発明の開示】
【発明が解決しようとする課題】
【０００４】
しかしながら、このような従来の食器洗い機では、食器３を食器かご４の支持ピン４ａに配置収納する場合、食器３の形状寸法に制約ができ、食器や調理器具などを良好な洗浄が可能なように配置できないという問題を有していた。
【０００５】
本発明は、上記従来の課題を解決するもので、食器かごに収容する食器の形状寸法の制約を少なくし、食器や調理器具をより多く効率よく配置収容して洗浄できる食器洗い機を提供することを目的としている。
【課題を解決するための手段】
【０００６】
本発明は上記目的を達成するために、洗浄槽と、前記洗浄槽内に配置し食器類を収容する食器かごと、食器類を洗浄する洗浄手段とを備え、前記食器かごに設けられ、複数の支持ピンを有する一対の支持部は、回動軸部のまわりにそれぞれ回動させることにより、食器類を保持する第１の載置部と第２の載置部とを選択的に形成可能に構成するとともに、前記複数の支持ピンのうち少なくとも一対の相対する支持ピンは、前記第１の載置部を形成する状態において、上端部を外方へ張り出すように屈曲させた構成としたものである。
【０００７】
これにより、食器かごに収納する食器の形状寸法の制約を少なくし、食器や調理器具をより多く効率よく配置収納して洗浄できるものである。
【発明の効果】
【０００８】
本発明の食器洗い機は、食器かごに収容する食器の形状寸法の制約を少なくし、食器や調理器具をより多く効率よく配置収容して洗浄できる食器洗い機を実現することができる。
【発明を実施するための最良の形態】
【０００９】
第１の発明は、洗浄槽と、前記洗浄槽内に配置し食器類を収容する食器かごと、食器類を洗浄する洗浄手段とを備え、前記食器かごに設けられ、複数の支持ピンを有する一対の支持部は、回動軸部のまわりにそれぞれ回動させることにより、食器類を保持する第１の載置部と第２の載置部とを選択的に形成可能に構成するとともに、前記複数の支持ピンのうち少なくとも一対の相対する支持ピンは、前記第１の載置部を形成する状態において、上端部を外方へ張り出すように屈曲させた構成としたことにより、食器形状の制約が少なくなり食器や調理器具を効率良く配置収容し洗浄することができる。
【００１０】
第２の発明は、上記第１の発明において、一対の支持部の複数の支持ピンのうち少なくとも一対の相対する支持ピンは、前記一対の支持部で第２の載置部を形成する状態において、上端部が上方に向けて立設するよう構成したことにより、第２の載置部においても食器や調理器具を支持する支持ピンを構成することができ、食器形状の制約少なくなり食器や調理器具を効率良く配置収容し洗浄することができる。
【００１１】
第３の発明は、上記第１、第２の発明において、一対の支持部の複数の支持ピンのうち少なくとも一対の相対する支持ピンは、直線形状としたことにより、第２の載置部を形成する状態において、一対の相対する支持ピンの少なくとも一方を無くすることが可能となるので、より多様な形状の食器や調理器具を配置収容することができる。
【００１２】
第４の発明は、上記第３の発明において、一対の支持部の複数対の支持ピンは、前記一対の支持部で第１の載置部を形成する状態において、上端部を屈曲させた支持ピンと直線形状とした支持ピンとを混在させて構成したことにより、第１の載置部を形成する状態と第２の載置部を形成する状態とで支持ピンのピッチ間隔を変えることができるので、より多様な形状の食器や調理器具に対応することができる。
【００１３】
第５の発明は、上記第３の発明において、一対の支持部の複数対の支持ピンは、前記一対の支持部で第１の載置部を形成する状態において、上端部を屈折させた支持ピンと直線形状とした支持ピンとを交互に配設して構成したことにより、第２の載置部での支持ピンのピッチ間隔が第１の載置部の倍に広がり食器形状の制約がなくなり食器や調理器具を効率良く配置収納し洗浄することができる。
【００１４】
第６の発明は、上記第１〜第５の発明において、回転軸部の軸方向は、洗浄槽の左右方向としたことにより、洗浄槽前面からの載置部への食器や調理器具の配置収容作業を行いやすくすることができる。
【００１５】
第７の発明は、上記第１〜第６の発明において、食器かごは、載置部を前記洗浄槽の前後方向に複数配設したことにより、より多くの食器や調理器具を効率よく配置収容できるとともに、収容できる食器の形状寸法の制約もさらに少なくすることができる。
【００１６】
第８の発明は、上記第８の発明において、複数の載置部のうち、最も後側に位置する載置部をその載置部の前方に隣接して位置する載置部より大きく構成したことにより、寸法形状の大きい皿類を最も後側に収容し、前方の載置部は皿類以外の比較的小さい食器類に応じて載置部の形状を選択できるので、より効率のよい食器類の配置収容が可能となる。
【００１７】
第９の発明は、上記第７、第８の発明において、洗浄槽に残滓フィルターを配設し、食器かごは、複数の載置部のうち少なくとも一つを前記残滓フィルターの上方近傍に配設するよう構成したことにより、載置部を構成する一対の支持部を回動させて、残滓の除去や残滓フィルターの取り出しを容易とすることができる。
【００１８】
第１０の発明は、上記第１〜第９の発明において、載置部を構成する一対の支持部のうち少なくとも一方を回動軸部とは別の回動支軸まわりに回動可能に構成したことにより、残滓の除去や残滓フィルターの取り出しをさらに容易とすることができる。
【００１９】
以下、本発明の実施の形態について、図面を参照しながら説明する。なお、食器洗い機の全体構成は、図８に示した従来例と同じであり、同じ構成のものは同一符号を付して説明を省略する。また、この実施の形態によって本発明が限定されるものではない。
【００２０】
（実施の形態１）
図１、図２は本発明の実施の形態１における食器洗い機の食器かごの外観斜視図である。図１において、食器カゴ４は、ステンレス等の金属の線材よりなる複数の条体４ｅを適宣組み合わせ、要所を溶接等により互いに固着して構成されている。
【００２１】
複数の条体４ｅの互いに隣接する２本の条体４ｅ間に、両方の端部を屈曲させて回動軸受け部４ｄが形成されている。そして、複数の支持ピン４ａを所定の間隔で溶接された回動軸部４ｃが、その両端部分で上記一対の回動軸受け部４ｄ間に挿入されており、回動軸受け部４ｄまわりに回動可能に軸支されて、食器類を配置保持する支持部４０を構成している。そして、この支持部４０を鏡面対称の位置に隣接させて一対対向させて配設することによって第１の載置部４１を構成している。
【００２２】
複数の支持ピン４ａは、回動軸部４ｃに溶接されていない方の端部を約４５°屈曲させてある。このようにすることによって、一対の支持部４０が第１の載置部を形成する状態において、支持ピン４ａの上端部はほぼ水平方向に外方へ張り出すよう構成されている。
【００２３】
図２は、図１に示した一対の支持部４０が第１の載置部を形成する状態から、一対の支持部４０をそれぞれ内側に回動させて第２の載置部４２を構成した状態を示している。支持部４０の回動後のこの状態においても、複数の支持ピン４ａはほぼ鉛直方向に上方に向いて立設し、食器類を配置保持可能な第２の載置部４２を構成している。
【００２４】
以上のように、本実施の形態においては洗浄ノズル２を配した洗浄槽１と、前記洗浄槽内に配置し食器を収納する食器かご４とを備え、前記食器かご４の一対の支持部４０を回動可能にするとともに、複数の支持ピン４ａのうち少なくとも一対の相対する支持ピンは、第１の載置部４１を形成する状態において、上端部を外方へ張り出すように屈曲させ、第２の載置部４２を形成する状態において、上端部が上方に向けて立設するよう構成したことにより、第１の載置部４１と第２の載置部４２が選択でき、食器形状の制約が少なくなり食器や調理器具を効率良く配置収納し洗浄することができる。
【００２５】
（実施の形態２）
図３、図４は本発明の実施の形態２における食器洗い機の食器かごの外観斜視図である。図３おいて、一対の支持部４０の複数の支持ピンのうち、支持ピン４ｂは、支持ピン４ａのように先端部を屈曲させず直線形状としてある。そして、支持ピン４ａと支持ピン４ｂはほぼ等ピッチ間隔で交互に配設してある。なお、相対する支持ピンは、支持ピン４ａ同志、支持ピン４ｂ同志が対となるよう配設してある。
【００２６】
そして、図３においては、支持ピン４ａと支持ピン４ｂを混在させて構成した一対の支持部４０で第１の載置部４１を構成としている。また、図４においては、回動後に直線形状の支持ピン４ｂは水平となり、支持ピン４ａは先端部が外方へ張り出して立設し、第２の載置部４２を構成している。このとき、支持ピンのピッチ間隔は第１の載置部４１の２倍のピッチ間隔となる。
【００２７】
以上のように、本実施の形態においては、第１の載置部４１においての立設した支持ピン４ａ、４ｂによるピッチ間隔よりも、回動後の支持部４０の第２の載置部４２でできる立設した支持ピン４ａ間のピッチ間隔が広くなる。また、支持ピン４ａの固着位置により立設する支持ピン４ａ間の幅が変えることができるので、食器形状の制約が少なくなり食器や調理器具を安定した状態で効率良く保持配置収容し洗浄することができる。
【００２８】
（実施の形態３）
図５は本発明の実施の形態３における食器洗い機の食器かごの外観斜視図である。図５において、食器かご４は、洗浄槽１の前後方向に２つの載置部４５、５５を備えている。これらの載置部４５、５５を構成する各支持部４０ａ、４０ｂ、５０ａ、５０ｂは、回転軸部４ｃの軸方向が洗浄槽１の左右方向になるように構成されている。各支持部４０ａ、４０ｂ、５０ａ、５０ｂは上記実施の形態１〜２のいずれの構成でも採用することができる。また、他の構成は上記実施の形態１と同じである。
【００２９】
ここで、後側に位置する載置部４５をその前方に隣接して位置する載置部５５より大きく構成してある。すなわち、載置部４５における支持部４０ａと支持部４０ｂの間隔Ａを、載置部５５における支持部５０ａと支持部５０ｂの間隔Ｂより大きく、また、載置部４０ａ、４０ｂの支持ピン４５ａの屈曲部までの長さを、載置部５０ａ、５０ｂの支持ピン５５ａの屈曲部までの長さよりも長くしてある。
【００３０】
以上のように、本実施の形態においては、支持部４０ａ、４０ｂ、５０ａ、５０ｂの回転軸部４ｃの軸方向は、洗浄槽１の左右方向としたことにより、洗浄槽１前面からの載置部４５、５５への食器の配置収容作業を行いやすくすることができる。
【００３１】
また、載置部４５と載置部５５とを洗浄槽１の前後方向に配設したことにより、より多くの食器や調理器具を効率よく配置収容できるとともに、収容できる食器の形状寸法の制約もさらに少なくすることができる。
【００３２】
そして、後側に位置する載置部４５をその前方に隣接して位置する載置部５５より大きく構成したことにより、寸法形状の大きい皿類を後側の載置部４５に収容し、前方の載置部５５は皿類以外の比較的小さい食器類に応じて載置部の形状を選択できるので、より効率のよい食器類の配置収容が可能となる。
【００３３】
なお、本実施の形態では、載置部の個数を２つとしたが、３つ以上としても同様の構成を採用することは可能であり、その場合も同様の作用効果を実現することができる。
【００３４】
（実施の形態４）
図６は本発明の実施の形態４における食器洗い機の食器かごの要部斜視図、図７は食器かごの支持部の動作説明図である。図６において、洗浄槽１の底面に残滓フィルター７を配設し、食器かご４は、載置部４１を残滓フィルター７の上方近傍に配設するよう構成している。
【００３５】
載置部４１は、一対の支持部４０で形成され、これら一対の支持部４０は、上記実施の形態１と同様の構成を持ち、条体４ｅに対し回動軸受け部４ｄまわりに回動可能に軸支されている。
【００３６】
さらに、本実施の形態においては、一対の支持部４０のうち少なくとも一つを、回動支軸４ｆ、４ｇまわりに条体４ｅもろとも回動可能に構成している。
【００３７】
そして、残滓の除去や残滓フィルター７の取り出しを行う時には、図７に示すように、支持ピン４ａが固着された回動軸部４ｃを回動軸受け部４ｄまわりに矢印Ａ方向に回動し、その後、支持部４０全体を回動支軸４ｆ、４ｇまわりに矢印Ｂ方向に回動させる。そうすれば、支持部４０が残滓フィルター７の上方から移動して、残滓フィルター７の上方近傍は空間となるので、そこから残滓フィルター７に溜まった残滓を除去したり、残滓フィルター７を取り出して清掃を行ったりすることが容易となる。
【００３８】
このように、本実施の形態においては、載置部４１を残滓フィルター７の上方近傍に配設するよう構成したことにより、載置部４１を構成する一対の支持部４０を回動させて、残滓の除去や残滓フィルターの取り出しを容易とすることができる。
【００３９】
さらに、載置部４１を構成する一対の支持部４０のうち少なくとも一方を回動軸部４ｃとは別の回動支軸４ｆ、４ｇまわりに回動可能に構成したことにより、残滓の除去や残滓フィルターの取り出しをさらに容易とすることができる。
【産業上の利用可能性】
【００４０】
以上のように、本発明にかかる食器洗い機は、食器かごに配置収納する食器が効率的に配置収納でき洗浄することが可能となるので、食器かごを有した食器洗い機等として有用である。
【図面の簡単な説明】
【００４１】
【図１】本発明の実施の形態１の食器洗い機の食器かごの外観斜視図
【図２】同食器洗い機の食器かごの外観斜視図
【図３】本発明の実施の形態２の食器洗い機の食器かごの外観斜視図
【図４】同食器洗い機の食器かごの外観斜視図
【図５】本発明の実施の形態３の食器洗い機の食器かごの外観斜視図
【図６】本発明の実施の形態４の食器洗い機の食器かごの要部斜視図
【図７】同食器洗い機の食器かごの支持部の動作説明図
【図８】従来の食器洗い機の縦断面図
【図９】同食器洗い機の食器かごの要部斜視図
【符号の説明】
【００４２】
１  洗浄槽
２  ノズル
３  食器
４  食器カゴ
４ａ  支持ピン
４ｂ  支持ピン
４ｃ  回動軸部
４ｄ  回動軸受け部
４ｅ  条体
４ｆ、４ｇ  回動支軸
５  ヒータ
６  ポンプ
７  残滓フィルター
８  排水口
４０  支持部
４０ａ、４０ｂ、５０ａ、５０ｂ  支持部
４１  第１の載置部
４２  第２の載置部
４５、５５  載置部
４５ａ、５５ａ  支持ピン
【図１】
2006006765.tif 000003
【図２】
2006006765.tif 000004
【図３】
2006006765.tif 000005
【図４】
2006006765.tif 000006
【図５】
2006006765.tif 000007
【図６】
2006006765.tif 000008
【図７】
2006006765.tif 000009
【図８】
2006006765.tif 000010
【図９】
2006006765.tif 000011